(57)【要約】  本発明は、液晶ディスプレイの製造の分野に関連するとともに、ＬＣＤのバックライト輝度を調整する処理において、ユーザが、調光過程において、明らかなちらつきを見る、という問題を解消するために使用される、バックライト輝度を調整するための方法及び電子デバイスを開示する。電子デバイスは、光センサ(21)と、光センサ(21)に接続されたマイクロコントローラ(22)とを含み、光センサ(21)は、現時点の周辺輝度信号を獲得するように構成されており、マイクロコントローラ(22)は、光センサ(21)から現時点の周辺輝度信号を読み取り、現時点の周辺輝度信号に従って、演算を介して現時点での電子デバイスの第１ターゲットバックライト輝度値を取得するように構成されており、マイクロコントローラ(22)は、電子デバイスが通常のスクリーン・オン状態であるならば、第１初期バックライト輝度値から第１ターゲットバックライト輝度値に段階的に調整するようにさらに構成され、第１初期バックライト輝度値は、電子デバイスの前の時点における第１ターゲットバックライト輝度値である。
2017513050.tif 000002
【特許請求の範囲】
【請求項１】
光センサと、前記光センサに接続されたマイクロコントローラとを具備する電子デバイスであって、
前記光センサは、現時点の周辺輝度信号を獲得するように構成され、
前記マイクロコントローラは、前記光センサから前記現時点の周辺輝度信号を読み取り、前記現時点の周辺輝度信号に従って、演算を介して前記現時点での前記電子デバイスの第１ターゲットバックライト輝度値を取得するように構成され、
前記マイクロコントローラは、前記電子デバイスが通常のスクリーン・オン状態にあるならば、第１初期バックライト輝度値から前記第１ターゲットバックライト輝度値に段階的に調整するようにさらに構成され、前記第１初期バックライト輝度値は、前の時点における前記電子デバイスの第１ターゲットバックライト輝度値である
ことを特徴とする電子デバイス。
【請求項２】
前記マイクロコントローラは、
前記読み取られた現時点の周辺輝度信号にフィルタリング処理を実施してフィルタリング後の前記現時点での周辺輝度信号を取得し、
フィルタリング後の前記現時点での周辺輝度信号が前の時点の周辺輝度信号に比例して変化するならば、前記フィルタリング後の前記現時点での周辺輝度信号に従って、演算を介して前記現時点での前記電子デバイスの前記第１ターゲットバックライト輝度値を取得する
ように特に構成されていることを特徴とする請求項１に記載の電子デバイス。
【請求項３】
前記マイクロコントローラは、
前記第１初期バックライト輝度値に対応する初期輝度変化率を獲得し、前記初期輝度変化率に従って、最初の第１中間バックライト輝度値を調整し、
第１中間バックライト輝度値に対応する中間輝度変化率を取得し、前記中間輝度変化率に従って、次の第１中間バックライト輝度値を調整し、前記電子デバイスの第１ターゲットバックライト輝度値に到達するまで繰り返す
ように特に構成されていることを特徴とする請求項１に記載の電子デバイス。
【請求項４】
前記電子デバイスは、アプリケーションプロセッサと、前記アプリケーションプロセッサ及び前記マイクロコントローラに接続されたディスプレイドライバモジュールと、前記マイクロコントローラに接続されたバックライトドライバモジュールとをさらに具備し、
前記アプリケーションプロセッサは、画像を前記ディスプレイドライバモジュールに出力するように構成され、
前記ディスプレイドライバモジュールは、前記アプリケーションプロセッサにより入力される前記画像に従って、現時点での前記電子デバイスの第２ターゲットバックライト輝度値を獲得するように構成され、
前記マイクロコントローラは、前記第１ターゲットバックライト輝度値と前記第２ターゲットバックライト輝度値を乗算し、前記電子デバイスの第３ターゲットバックライト輝度値を取得し、前記第３ターゲットバックライト輝度値を前記バックライトドライバモジュールに出力するように構成され、
前記バックライトドライバモジュールは、前記第３ターゲットバックライト輝度値に従って、前記電子デバイスのバックライト輝度を調整するように構成されている
ことを特徴とする請求項１から３のいずれか一項に記載の電子デバイス。
【請求項５】
前記アプリケーションプロセッサは、指示メッセージを前記マイクロコントローラに送信するようにさらに構成され、前記指示メッセージは、前記光センサをターンオン又はターンオフするように前記マイクロコントローラに指示するために使用される
ことを特徴とする請求項４に記載の電子デバイス。
【請求項６】
電子デバイスに適用されるバックライト輝度を調整するための方法であって、前記調整方法は、
現時点での周辺輝度信号を獲得するステップと、
前記現時点の周辺輝度信号に従って、演算を介して前記現時点での前記電子デバイスの第１ターゲットバックライト輝度値を取得するステップと、
前記電子デバイスが通常のスクリーン・オン状態にあるならば、第１初期バックライト輝度値から前記第１ターゲットバックライト輝度値に段階的に調整するステップであって、前記第１初期バックライト輝度値は、前の時点における前記電子デバイスの第１ターゲットバックライト輝度値である、調整するステップと、
を具備することを特徴とするバックライト輝度を調整するための方法。
【請求項７】
前記現時点の周辺輝度信号に従って、演算を介して前記現時点での前記電子デバイスの前記第１ターゲットバックライト輝度値を取得する前記ステップは、
前記現時点の周辺輝度信号にフィルタリング処理を実施して、フィルタリング後の前記現時点での周辺輝度信号を取得するステップと、
フィルタリング後の前記現時点での周辺輝度信号が前の時点の周辺輝度信号に比例して変化するならば、前記フィルタリング後の前記現時点での周辺輝度信号に従って、演算を介して前記現時点での前記電子デバイスの前記第１ターゲットバックライト輝度値を取得するステップと、
を具備することを特徴とする請求項６に記載の方法。
【請求項８】
第１初期バックライト輝度値から前記第１ターゲットバックライト輝度値に段階的に調整する前記ステップは、
前記第１初期バックライト輝度値に対応する初期輝度変化率を獲得し、前記初期輝度変化率に従って、最初の第１中間バックライト輝度値を調整するステップと、
第１中間バックライト輝度値に対応する中間輝度変化率を取得し、前記中間輝度変化率に従って、次の第１中間バックライト輝度値を調整し、前記電子デバイスの第１ターゲットバックライト輝度値に到達するまで繰り返すステップと、
を具備することを特徴とする請求項６に記載の方法。
【請求項９】
前記調整方法は、
前記電子デバイスに入力される画像に従って、現時点での前記電子デバイスの第２ターゲットバックライト輝度値を獲得するステップと、
前記電子デバイスが第３ターゲットバックライト輝度値に従ってバックライト輝度を調整できるように、前記第１ターゲットバックライト輝度値と前記第２ターゲットバックライト輝度値を乗算して前記第３ターゲットバックライト輝度値を取得するステップと、
をさらに具備することを特徴とする請求項６から８のいずれか一項に記載の方法。
【発明の詳細な説明】
【技術分野】
【０００１】
本発明は、液晶ディスプレイの製造の分野に関連し、特に、バックライト輝度を調整するための方法及び電子デバイスに関連する。
【背景技術】
【０００２】
近年では、液晶ディスプレイ（Liquid Crystal Display、略してＬＣＤ)が飛躍的に発展しており、スマートフォン、産業用メータ、医療機器などの分野において広く応用されており、ユーザに豊かな視覚的な楽しさをもたらしている。
【０００３】
しかし、ＬＣＤは、その表示効果がＬＣＤバックライト輝度及び周辺輝度に大きく関係するパッシブ型の発光表示装置である。例えば、太陽の下でのＬＣＤのバックライト輝度は、ＬＣＤが、くっきりと表示されたコンテンツを確保できるように非常に高いレベルに調整されなければならず、暗所の内側では、ＬＣＤは、ＬＣＤのバックライト輝度を比較的低いレベルに維持するだけで、くっきりと表示されたコンテンツが提供できる。
【０００４】
周辺輝度が変化する場合に、ＬＣＤがくっきりと表示されたコンテンツを提供できることを保証するために、光適応輝度制御(Light Adaptive Brightness Control、略してＬＡＢＣ)及びコンテンツ適応輝度制御(Content Adaptive Brightness Control、略してＣＡＢＣ)の方法が従来技術において提案されている。
【０００５】
例示的に、ＬＡＢＣ方法においては、電子デバイスがターンオンされた後に、アプリケーションプロセッサ(Application Processor、略してＡＰ)はまず周辺輝度をチェックし、その後、その周辺輝度に従って、演算を介して現在のＬＣＤバックライト輝度を取得し、演算を介して取得されたＬＣＤバックライト輝度をＬＣＤドライバ回路に送信する。この方法において、ＬＣＤドライバ回路は、現在のＬＣＤバックライト輝度が調整可能なように、パルス幅変調(Pulse Width Modulation、略してＰＷＭ)信号をバックライトドライバモジュールに出力可能である。周辺輝度が特定の範囲を超過したならば、ＬＣＤバックライト輝度の再調整を行うために、電子デバイスは、前述の処理を再び開始する。
【０００６】
しかし、現在のＬＡＢＣ方法においては、ＬＣＤバックライトは、周囲の輝度変化にリアルタイムで追従することができない。図１に示されているように、ＬＣＤバックライト輝度を示している直線と、周辺輝度を示している曲線との間には、かなりの空白があり、この空白は、エネルギーの浪費を示している。加えて、ＬＣＤドライバ回路により出力されるＰＷＭ信号があまり正確でないため（通常８ビット）、ＬＣＤバックライト輝度が変化するときに、突然のバックライト変化が生じる。その結果、ユーザは、調光過程において、明らかなちらつきを見ることになる。
【発明の概要】
【課題を解決するための手段】
【０００７】
本発明の実施形態は、ＬＣＤのバックライト輝度を調整する処理において、ユーザが、調光過程において、明らかなちらつきを見る、という問題を解消するような、バックライト輝度を調整するための方法及び電子デバイスを提供する。
【０００８】
上記の目的を達成するために、以下の技術的ソリューションが本発明の実施形態において使用される。
【０００９】
第１の態様によると、本発明の実施形態は、光センサと、前記光センサに接続されたマイクロコントローラとを含む電子デバイスを提供し、前記光センサは、現時点の周辺輝度信号を獲得するようにさらに構成され、
前記マイクロコントローラは、前記光センサから前記現時点の周辺輝度信号を読み取り、前記現時点の周辺輝度信号に従って、演算を介して前記現時点での前記電子デバイスの前記第１ターゲットバックライト輝度値を取得するように構成され、
前記マイクロコントローラは、前記電子デバイスが通常のスクリーン・オン状態にあるならば、第１初期バックライト輝度値から前記第１ターゲットバックライト輝度値に段階的に調整するようにさらに構成され、前記第１初期バックライト輝度値は、前の時点における前記電子デバイスの第１ターゲットバックライト輝度値である。
【００１０】
第１の態様の第１の可能な実施様式において、前記マイクロコントローラは、
前記読み取られた現時点の周辺輝度信号にフィルタリング処理を実施してフィルタリング後の前記現時点での周辺輝度信号を取得し、
フィルタリング後の前記現時点での周辺輝度信号が前の時点の周辺輝度信号に比例して変化するならば、前記フィルタリング後の前記現時点での周辺輝度信号に従って、演算を介して前記現時点での前記電子デバイスの前記第１ターゲットバックライト輝度値を取得する
ように特に構成されている。
【００１１】
第１の態様の第２の可能な実施様式において、前記マイクロコントローラは、
前記第１初期バックライト輝度値に対応する初期輝度変化率を獲得し、前記初期輝度変化率に従って、最初の第１中間バックライト輝度値を調整し、
第１中間バックライト輝度値に対応する中間輝度変化率を取得し、前記中間輝度変化率に従って、次の第１中間バックライト輝度値を調整し、前記電子デバイスの第１ターゲットバックライト輝度値に到達するまで繰り返す
ように特に構成されている。
【００１２】
第１の態様又は第１の態様の上記２つの可能な実施様式に関連し、第１の態様の第３の可能な実施様式がさらに提供され、前記電子デバイスは、アプリケーションプロセッサと、前記アプリケーションプロセッサ及び前記マイクロコントローラに接続されたディスプレイドライバモジュールと、前記マイクロコントローラに接続されたバックライトドライバモジュールと、をさらに含み、
前記アプリケーションプロセッサは、画像を前記ディスプレイドライバモジュールに出力するように構成され、
前記ディスプレイドライバモジュールは、前記アプリケーションプロセッサにより入力される画像に従って、現時点での前記電子デバイスの第２ターゲットバックライト輝度値を獲得するように構成され、
前記マイクロコントローラは、前記第１ターゲットバックライト輝度値と前記第２ターゲットバックライト輝度値を乗算し、前記電子デバイスの第３ターゲットバックライト輝度値を取得し、前記第３ターゲットバックライト輝度値を前記バックライトドライバモジュールに出力するように構成され、
前記バックライトドライバモジュールは、前記第３ターゲットバックライト輝度値に従って、前記電子デバイスのバックライト輝度を調整するように特に構成されている。
【００１３】
第１の態様の第３の可能な実施様式に関連し、第１の態様の第４の可能な実施様式がさらに提供され、前記アプリケーションプロセッサは、指示メッセージを前記マイクロコントローラに送信するようにさらに構成され、前記指示メッセージは、前記光センサをターンオン又はターンオフするように前記マイクロコントローラに指示するために使用される。
【００１４】
第２の態様によると、本発明の実施形態は、電子デバイスに適用されるバックライト輝度を調整するための方法を提供し、前記調整方法は、
現時点での周辺輝度信号を獲得するステップと、
前記現時点の周辺輝度信号に従って、演算を介して前記現時点での前記電子デバイスの前記第１ターゲットバックライト輝度値を取得するステップと、
前記電子デバイスが通常のスクリーン・オン状態にあるならば、第１初期バックライト輝度値から前記第１ターゲットバックライト輝度値に段階的に調整するステップと、
を含み、前記第１初期バックライト輝度値は、前の時点における前記電子デバイスの第１ターゲットバックライト輝度値である。
【００１５】
第２の態様の第１の可能な実施様式において、前記現時点の周辺輝度信号に従って、前記演算を介して前記現時点での前記電子デバイスの前記第１ターゲットバックライト輝度値を取得する前記ステップは、
前記現時点の周辺輝度信号にフィルタリング処理を実施して、フィルタリング後の前記現時点での周辺輝度信号を取得するステップと、
フィルタリング後の前記現時点での周辺輝度信号が前の時点の周辺輝度信号に比例して変化するならば、前記フィルタリング後の前記現時点での周辺輝度信号に従って、演算を介して前記現時点での前記電子デバイスの前記第１ターゲットバックライト輝度値を取得するステップと、
を含む。
【００１６】
第２の態様の第２の可能な実施様式において、第１初期バックライト輝度値から前記第１ターゲットバックライト輝度値に段階的に調整する前記ステップは、
前記第１初期バックライト輝度値に対応する初期輝度変化率を獲得するし、前記初期輝度変化率に従って、最初の第１中間バックライト輝度値を調整するステップと、
第１中間バックライト輝度値に対応する中間輝度変化率を取得し、前記中間輝度変化率に従って、次の第１中間バックライト輝度値を調整し、前記電子デバイスの第１ターゲットバックライト輝度値に到達するまで繰り返すステップと、
を含む。
【００１７】
第２の態様又は第２の態様の上記２つの可能な実施様式に関連し、第２の態様の第３の可能な実施様式がさらに提供され、前記調整する方法は、
前記電子デバイスへ入力される画像に従って、現時点での前記電子デバイスの第２ターゲットバックライト輝度値を獲得するステップと、
前記電子デバイスが前記第３ターゲットバックライト輝度値に従ってバックライト輝度を調整できるように、前記第１ターゲットバックライト輝度値と前記第２ターゲットバックライト輝度値を乗算して第３ターゲットバックライト輝度値を取得するステップと、
をさらに含む。
【００１８】
本発明の実施形態は、バックライト輝度を調整するための方法及び電子デバイスを提供する。光センサは、現時点の周辺輝度信号を獲得するようにさらに構成されており、前記マイクロコントローラは、前記光センサから前記現時点の周辺輝度信号を読み取り、前記現時点の周辺輝度信号に従って、演算を介して前記現時点での前記電子デバイスの前記第１ターゲットバックライト輝度値を取得し、前記電子デバイスが通常のスクリーン・オン状態にあるならば、第１初期バックライト輝度値から前記第１ターゲットバックライト輝度値に段階的に調整するように構成されており、前記第１初期バックライト輝度値は、前の時点における前記電子デバイスの第１ターゲットバックライト輝度値である。これが、ＬＣＤのバックライト輝度を調整する処理において、ユーザが、調光過程において、明らかなちらつきを見る、という問題を解消する。
【００１９】
本発明の実施形態におけるまたは従来技術における技術的解決策をより明確に説明するために、以下で実施形態又は従来技術を説明するために必要な添付の図面について簡単に紹介する。以下の説明における添付の図面は本発明のいくつかの実施形態を示すものにすぎず、それでもなお、当業者が創造的な努力なしにこれらの添付の図面から他の図面を得ることができることは明らかである。
【図面の簡単な説明】
【００２０】
【図１】図１は、従来技術において提供されるＬＡＢＣ方法におけるＬＣＤバックライト輝度の変化の概略図である。
【図２】図２は、本発明の実施形態による電子デバイスの概略図である。
【図３】図３は、従来技術における一次遅れフィルタリングアルゴリズムの概略図である。
【図４】図４は、本発明の実施形態による一次遅れフィルタリングアルゴリズムを使用して取得された周辺光フィルタリング効果の概略図である。
【図５】図５は、本発明の実施形態における、人間の目の感度対輝度の曲線の概略図である。
【図６】図６は、本発明の他の実施形態による電子デバイスの概略図である。
【図７】図７は、本発明の実施形態による、バックライト輝度を調整するための方法の概略図である。
【図８】図８は、本発明の実施形態による、他のバックライト輝度を調整するための方法の概略図である。
【発明を実施するための形態】
【００２１】
本発明の実施形態における添付の図面を参照しながら、本発明の実施形態における技術的解決策について以下で明確かつ完全に説明する。説明する実施形態は、本発明の実施形態のすべてではなく、一部にすぎないことは明らかである。創造的な努力なしに本発明の実施形態に基づいて当業者によって得られるすべての他の実施形態は、本発明の保護範囲内に入るものである。
【００２２】
［実施形態１］
本発明のこの実施形態は、電子デバイスを提示する。図２に示されているように、電子デバイスは、光センサ21と、光センサ21に接続されているマイクロコントローラ22とを備えている。
【００２３】
光センサ21は、現時点の周辺輝度信号を獲得するように構成されており、
マイクロコントローラ22は、光センサ21から現時点の周辺輝度信号を読み取り、現時点の周辺輝度信号に従って、演算を介して現時点での電子デバイスの第１ターゲットバックライト輝度値を取得するように構成されており、マイクロコントローラ22は、前記電子デバイスが通常のスクリーン・オン状態にあるならば、第１初期バックライト輝度値から前記第１ターゲットバックライト輝度値に段階的に調整するようにさらに構成されており、第１初期バックライト輝度値は、前の時点における電子デバイスの第１ターゲットバックライト輝度値である。
【００２４】
周辺輝度信号は、現在の環境において取得された光信号から光センサ21により変換された電気信号であり得、電気信号は、電流信号又は電圧信号であり得るが、それらに限定されるものではない。第１ターゲットバックライト輝度値は、光適応輝度制御(Light Adaptive Brightness Control、略してＬＡＢＣ)の原理に従って取得される。
【００２５】
オプションとして、マイクロコントローラ22は、読み取られた現時点の周辺輝度信号にフィルタリング処理を実施してフィルタリング後の前記現時点での周辺輝度信号を取得し、
フィルタリング後の前記現時点での周辺輝度信号が前の時点の周辺輝度信号に比例して変化するならば、前記フィルタリング後の前記現時点での周辺輝度信号に従って、演算を介して前記現時点での前記電子デバイスの前記第１ターゲットバックライト輝度値を取得するように特に構成されている。
【００２６】
具体的には、マイクロコントローラ22は、読み取った周辺光に持続的にフィルタリング処理を実施してフィルタリング後の周辺光曲線を取得し、周辺光曲線から現在の周辺輝度を取得し、周辺輝度に従って、第１ターゲットバックライト輝度値をさらに取得する。
【００２７】
マイクロコントローラ22が現時点の周辺輝度信号を読み取る場合に、光センサ21が、電灯や態様などの強い発光光源に急に向けられたならば、急な変化のデータは、周辺輝度の実際の変化に反映しない。したがって、実際の周辺輝度変化を取得するために、すなわち、フィルタリング後の前記現時点での周辺輝度信号を取得するために、読み取られた現時点の周辺輝度信号にフィルタリング処理が実施される必要がある。フィルタリング処理は、平均法、重み付け法、及び内挿法等のデータを平滑化するための種々のアルゴリズムを使用して実施され得る。
【００２８】
例示的に、一次遅れフィルタリングアルゴリズムを一例として使用する。一次遅れフィルタリングアルゴリズムの原理は、
現在のフィルタリング結果 = (1 - a) * 現在のサンプル値 + a * 前のフィルタリング結果
であり、 0 < a < 1である。X(K)は、現在のフィルタリング結果を表し、X(K-1)は、前のフィルタリング結果を表し、U(k)は、現在のサンプル値を表しており、それから X(K) = (1 - a) * U(k) + a * X(K - 1)である。
【００２９】
図３に示されているように、細い実線で繋がっている中空円は、フィルタリング処理が実施されていない信号を表している。ａは0.8とする。一次遅れフィルタリングアルゴリズムが適用された後、その後 X(K) = [X(K - 1) + X(K + 1)]/2 がさらに一度適用され、図３に示されているダブルスラッシュで塗られた円が取得され、その円は点線を使用して繋がっている。これは、図３に示されている黒丸が取得されるまで数回繰り返され、黒丸は、太い実線を使用して繋がっている。
【００３０】
図４に示されているように、図４は、マイクロコントローラ22が、一次遅れフィルタリングアルゴリズムを使用して、読み取られた現時点の周辺輝度信号にフィルタリング処理を実施した後に得られたフィルタリング後の前記現時点での周辺輝度信号を示している。
【００３１】
オプションとして、マイクロコントローラ22は、
第１初期バックライト輝度値に対応する初期輝度変化率を獲得し、前記初期輝度変化率に従って、最初の第１中間バックライト輝度値を調整し、
第１中間バックライト輝度値に対応する中間輝度変化率を取得し、前記中間輝度変化率に従って、次の第１中間バックライト輝度値を調整し、前記電子デバイスの第１ターゲットバックライト輝度値に到達するまで繰り返す
ように特に構成されている。
【００３２】
前記現時点の周辺輝度信号が、前の時点のそれに対してわずかに変化するならば、最初の第１中間バックライト輝度値は、電子デバイスの第１ターゲットバックライト輝度値として供することができる。この場合には、電子デバイスの第１ターゲットバックライト輝度値は、前記第１初期バックライト輝度値に対応する初期輝度変化率を獲得するとともに前記初期輝度変化率に従って一度だけ調整することにより到達することができる。
【００３３】
前記現時点の周辺輝度信号が、前の時点のそれに対してかなり変化するならば、第１初期バックライト輝度値と、第１ターゲットバックライト輝度値との間には大きなギャップがある。この場合には、第１初期バックライト輝度値は、電子デバイスの第１ターゲットバックライト輝度値に調整するように、複数の第１中間バックライト輝度値を通過する必要がある。具体的には、第１中間バックライト輝度値に対応する初期輝度変化率が獲得され、第１の第１中間バックライト輝度値は、前記初期輝度変化率に従って調整することにより到達され、第１中間バックライト輝度値に対応する中間輝度変化率が獲得され、第２の第１中間バックライト輝度値が前記中間輝度変化率に従って調整することにより到達され、電子デバイスの第１ターゲットバックライト輝度値に到達するまで調整が行われる。
【００３４】
人間の目は、輝度の変化に非常に敏感である。したがって、第１初期バックライト輝度値に対応する初期輝度変化率及び第１中間バックライト輝度値に対応する中間輝度変化率は、第１バックライト輝度が、人間の目に視覚認識されない最大の変化量の最も高いレートで、電子デバイスの第１ターゲットバックライト輝度値に調整されることを保証する必要がある。電子デバイスの画面が暗くなる場合には、画面輝度の段階的な変化は、より低い遷移率でより長い時間をかけなければならない。電子デバイスの画面が明るくなる場合には、画面輝度の段階的な変化は、より高い遷移率でより短い時間をかけなければならない。
【００３５】
例示的に、周辺輝度の異なるレベルでの人間の目の輝度感度の曲線が、人間の目の視覚特性に従って試験されることによって取得される。この曲線により、人間の目に視覚認識されない最大の変化量の最も高いレートのために漸近線が見つけられ得る。図５に示されているように、水平座標は、第１バックライト輝度値を表しており、垂直座標は、輝度変化率を表している。図５に示されている第１バックライト輝度値と輝度変化率との間の関係を更に理解することは、人間の目の視覚反応は実際の輝度変化の傾きに起因することである。輝度変化の傾きが一定値未満である場合には、視覚反応は生じず、輝度変化の傾きが一定値より大きい場合には、視覚反応が生じる。図５に示されている輝度変化傾き曲線の意味は次のとおりである：所与の周辺光において、第１バックライト輝度値が初期値から目標値に変化する場合には、最大変化量が取得できるとともに輝度が最大速度で追従できるように、変化の傾きは輝度感度曲線に近づき、人間の目に視覚認識されない最適な表示効果が達成される。
【００３６】
オプションとして、図６に示されているように、電子デバイスは、アプリケーションプロセッサ23と、アプリケーションプロセッサ23及びマイクロコントローラ22に接続されているディスプレイドライバモジュール24と、マイクロコントローラ22に接続されているバックライトドライバモジュール25と、をさらに含む。
【００３７】
アプリケーションプロセッサ23は、画像を前記ディスプレイドライバモジュール24に出力するように構成されている。
【００３８】
ディスプレイドライバモジュール24は、前記アプリケーションプロセッサ23により入力される前記画像に従って、現時点での前記電子デバイスの第２ターゲットバックライト輝度値を獲得するように構成されている。
【００３９】
マイクロコントローラ22は、前記第１ターゲットバックライト輝度値と前記第２ターゲットバックライト輝度値を乗算し、前記電子デバイスの第３ターゲットバックライト輝度値を取得し、前記第３ターゲットバックライト輝度値をバックライトドライバモジュール25に出力するように構成されている。
【００４０】
バックライトドライバモジュール25は、第３ターゲットバックライト輝度値に従って、電子デバイスのバックライト輝度を調整するように構成されている。
【００４１】
第２ターゲットバックライト輝度値は、コンテンツ適応輝度制御(Content Adaptive Brightness Control、略してＣＡＢＣ)の原理に従って取得される。
【００４２】
オプションとして、アプリケーションプロセッサ23は、指示メッセージを前記マイクロコントローラ22に送信するようにさらに構成され、指示メッセージは、光センサ21をターンオン又はターンオフするように、マイクロコントローラ22に指示するために使用される。
【００４３】
指示メッセージは、スタートアップ又はシャットダウンコマンドであり得る。マイクロコントローラ22がアプリケーションプロセッサ23により送信されたスタートアップコマンドを受信した場合には、マイクロコントローラ22は、光センサ21をターンオンする。マイクロコントローラ22がアプリケーションプロセッサ23により送信されたシャットダウンコマンドを受信した場合には、マイクロコントローラ22は、光センサ21をターンオフする。
【００４４】
あるいは、指示メッセージは、ウェークアップ又はスリープコマンドであってもよい。マイクロコントローラ22がアプリケーションプロセッサ23により送信されたウェークアップコマンドを受信した場合には、マイクロコントローラ22は、光センサ21をターンオンする。マイクロコントローラ22がアプリケーションプロセッサ23により送信されたスリープコマンドを受信した場合には、マイクロコントローラ22は、光センサ21をターンオフする。
【００４５】
あるいは、指示メッセージは、バックライト輝度を調整するかどうかを指示するコマンドであってもよい。マイクロコントローラ22がアプリケーションプロセッサ23により送信されたバックライト輝度の調整のコマンドを受信した場合には、マイクロコントローラ22は、光センサ21をターンオンする。マイクロコントローラ22が、アプリケーションプロセッサ23により送信されたバックライト輝度の調整をしないというコマンドを受信した場合には、マイクロコントローラ22は、光センサ21をターンオフする。
【００４６】
本発明のこの実施形態は、電子デバイスを提示する。電子デバイスは、光センサと、前記光センサに接続されたマイクロコントローラとを含む。光センサは、現時点の周辺輝度信号を獲得するように構成されており、マイクロコントローラは、前記光センサから前記現時点の周辺輝度信号を読み取り、前記現時点の周辺輝度信号に従って、演算を介して前記現時点での前記電子デバイスの前記第１ターゲットバックライト輝度値を取得し、前記電子デバイスが通常のスクリーン・オン状態にあるならば、第１初期バックライト輝度値から前記第１ターゲットバックライト輝度値に段階的に調整する世に構成されており、前記第１初期バックライト輝度値は、前の時点における前記電子デバイスの第１ターゲットバックライト輝度値である。これが、ＬＣＤのバックライト輝度を調整する処理において、ユーザが、調光過程において、明らかなちらつきを見る、という問題を解消する。
【００４７】
［実施形態２］
本発明のこの実施形態は、バックライト輝度を調整するための方法を提供し、調整方法は、電子デバイスに適用される。図７に示されているように、調整方法は、以下を含む。
【００４８】
701: 現時点の周辺輝度信号を獲得する。
【００４９】
周辺輝度信号は、光信号から変換された電気信号であり、電気信号は、電流信号又は電圧信号であり得るが、それらに限定されるものではない。
【００５０】
702: 前記現時点の周辺輝度信号に従って、演算を介して前記現時点での前記電子デバイスの前記第１ターゲットバックライト輝度値を取得する。
【００５１】
第１ターゲットバックライト輝度値は、ＬＡＢＣの原理に従って取得される。
【００５２】
オプションとして、現時点の周辺輝度信号に従って、演算を介して前記現時点での前記電子デバイスの前記第１ターゲットバックライト輝度値を取得する前記ステップは、
前記現時点の周辺輝度信号にフィルタリング処理を実施して、フィルタリング後の前記現時点での周辺輝度信号を取得するステップと、
フィルタリング後の前記現時点での周辺輝度信号が前の時点の周辺輝度信号に比例して変化するならば、前記フィルタリング後の前記現時点での周辺輝度信号に従って、演算を介して前記現時点での前記電子デバイスの前記第１ターゲットバックライト輝度値を取得するステップと、
を含む。
【００５３】
703: 前記電子デバイスが通常のスクリーン・オン状態にあるならば、第１初期バックライト輝度値から前記第１ターゲットバックライト輝度値に段階的に調整し、前記第１初期バックライト輝度値は、前の時点における前記電子デバイスの第１ターゲットバックライト輝度値である。
【００５４】
オプションとして、第１初期バックライト輝度値から前記第１ターゲットバックライト輝度値に段階的に調整する前記ステップは、
前記第１初期バックライト輝度値に対応する初期輝度変化率を獲得し、前記初期輝度変化率に従って、最初の第１中間バックライト輝度値を調整するステップと、
第１中間バックライト輝度値に対応する中間輝度変化率を取得し、前記中間輝度変化率に従って、次の第１中間バックライト輝度値を調整し、前記電子デバイスの第１ターゲットバックライト輝度値に到達するまで繰り返す、ステップと、
を含む。
【００５５】
オプションとして、バックライト輝度が電子デバイスに入力される画像のコンテンツに従って調整される必要がある場合には、図８に示されているように、ステップ７０１から７０３に基づいて、前記方法は、以下をさらに含む。
【００５６】
704: 電子デバイスに入力される画像に従って、現時点での前記電子デバイスの第２ターゲットバックライト輝度値を獲得する。
【００５７】
第２ターゲットバックライト輝度値は、ＣＡＢＣの原理に従って取得される。
【００５８】
705:前記電子デバイスが前記第３ターゲットバックライト輝度値に従ってバックライト輝度を調整できるように、第１ターゲットバックライト輝度値と、第２ターゲットバックライト輝度値を乗算し、第３ターゲットバックライト輝度値を取得する。
【００５９】
本発明のこの実施形態は、調整方法を提供する。現時点の周辺輝度信号が獲得され、前記現時点での前記電子デバイスの前記第１ターゲットバックライト輝度値が、前記現時点の周辺輝度信号に従って、演算を通じて獲得され、前記電子デバイスが通常のスクリーン・オン状態にあるならば、調整が、第１初期バックライト輝度値から第１ターゲットバックライト輝度値へ段階的に実施され、前記第１初期バックライト輝度値は、前の時点における前記電子デバイスの第１ターゲットバックライト輝度値である。これが、ＬＣＤのバックライト輝度を調整する処理において、ユーザが、調光過程において、明らかなちらつきを見る、という問題を解消する。
【００６０】
本出願において提供される種々の実施形態では、開示されたシステム、装置、及び方法は、他の様式により実装されてもよいことを理解すべきである。例えば、説明した装置の実施形態は単なる例示である。例えば、ユニット区分は、単なる論理的機能区分であるが、実際の実装において他の区分であってもよい。例えば、複数のユニット又は構成要素を他のシステムに組み合わせ又は統合してよく、又はいくつかの態様が、無視され、又は実施されなくてもよい。加えて、表示された又は論じられた相互結合又は直接結合又は通信接続は、いくつかのインターフェースを使用することにより実現されてもよい。装置又はユニット間の間接結合又は通信接続は、電子的、機械的、又は他の形式で実施し得る。
【００６１】
個別の部分として説明されたユニットは、物理的に分割されていてもされていなくてもよい。ユニットとして表示された部分は、物理的ユニットであってもそうでなくてもよく、一か所に配置されても、複数のネットワークユニット上に分散されてもよい。ユニットの一部又は全ては、実施形態のソリューションの目的を達成するための実際の必要性に従って選択され得る。
【００６２】
加えて、本発明の実施形態における機能ユニットは、１つの処理ユニットに統合可能であるか、又は各ユニットは、物理的に単独で存在してもよく、又は２つ以上のユニットが１つのユニットに統合される。統合されたユニットは、ハードウェアの形式により実装され得、又はソフトウェア機能ユニットに加えてハードウェアの形式により実装されてもよい。
【００６３】
上述の統合されたユニットがソフトウェア機能ユニットの形式で実装される場合には、統合されたユニットは、コンピュータ読み取り可能な記憶媒体に格納されてよい。ソフトウェア機能ユニットは、記憶媒体に格納され、コンピュータデバイス（パーソナルコンピュータ、サーバ、又はネットワークデバイスであってよい）に、本発明の実施形態において説明された方法のいくつかのステップの実行を指示するためのいくつかの命令を含んでいる。上述の記憶媒体は、ＵＳＢフラッシュドライブ、ポータブルハードディスク、読み取り専用メモリ(Read-Only Memory、略してＲＯＭ)、ランダムアクセスメモリ(Random Access Memory、略してＲＡＭ)、磁気ディスク、又は光学ディスクなどの、プログラムコードを格納可能な任意の媒体を含む。
【００６４】
最後に、前述の実施形態が、単に、本発明の技術的解決策を説明するためのものであって、本発明を限定するためのものではないことに留意されたい。本発明が、前述の実施形態を参照して詳細に説明されたが、当業者は、本発明の実施形態の技術的解決策の範囲から逸脱せずに、彼らが前述の実施形態において説明された技術的解決策に対する変更を行い、あるいは、技術的解決策のいくつかのまたはすべての技術的特徴に対する同等の置換を行うことができることを理解するに違いない。
【符号の説明】
【００６５】
２１  光センサ
２２  マイクロコントローラ
２３  アプリケーションプロセッサ
２４  ディスプレイドライバモジュール
２５  バックライトドライバモジュール
【図１】
2017513050.tif 000003
【図２】
2017513050.tif 000004
【図３】
2017513050.tif 000005
【図４】
2017513050.tif 000006
【図５】
2017513050.tif 000007
【図６】
2017513050.tif 000008
【図７】
2017513050.tif 000009
【図８】
2017513050.tif 000010
【国際調査報告】
2017513050.tif 000011
2017513050.tif 000012
2017513050.tif 000013
2017513050.tif 000014
2017513050.tif 000015